(57)【要約】【課題】  握持が容易なスケートボードの本体装置の提供。【解決手段】  スケートボードの本体装置は多層複合の形態とされ、少なくとも一層の主体層を具え、主体層の周縁近くに上下が対応する凹凸形態の止滑握持部が設けられ、手でスケートボードの辺縁を握持するのに便利で対応する手指で直接握持部の上面と下面を挟持でき、握持が確実に行なえ、使用に安全であり、その表面に必要に応じて異なる形態及び密度の凹凸止滑部が設けられ、これにより更に全体の止滑機能が高められ、並びに板体の構造強度を強化し、また強化層を挟む設計により全体の抵抗強度が強化され、全体構造が軽量化され、運動特技上の必要に符合するものとされている。【選択図】        図１
2006015038.tif 000002
【特許請求の範囲】
【請求項１】
握持が容易なスケートボードの本体装置において、該本体装置は少なくとも一層の主体層を具え、該主体層の周縁近くに凹凸形態変化を有する複数の止滑握持部が設けられ、全体の止滑及び構造強化を達成したことを特徴とする、握持が容易なスケートボードの本体装置。
【請求項２】
請求項１記載の握持が容易なスケートボードの本体装置において、主体層に設置された止滑握持部が複数の区域に分布し、そのうち、中央部分の第１止滑握持区が複数組の長條状の止滑握持部を具え、スケートボードの四隅部分に別に第２止滑握持区が設けられ、該第２止滑握持区は屈折状に凹んだ止滑握持部を具え、主体層の前端の円形尖端部設計及び後部の流線形の隆起の形態が組み合わされて、全体として特殊な視覚効果を形成すると共に止滑機能と強度が高められたことを特徴とする、握持が容易なスケートボードの本体装置。
【請求項３】
請求項１記載の握持が容易なスケートボードの本体装置において、主体層の周縁近くの止滑握持部が條状の止滑握持部とされ、別に中央部に止滑強化部が設けられ、この止滑強化部の端部近くに別に二組の強化部が設けられたことを特徴とする、握持が容易なスケートボードの本体装置。
【請求項４】
請求項１記載の握持が容易なスケートボードの本体装置において、本体装置が長円板の構造形態とされ、中央部分に第１止滑握持区が設けられ、第１止滑握持区内の複数の止滑握持部が長條状とされ、主体層の両側に別に隆起する第３止滑握持区が形成され、該第３止滑握持区内の止滑握持部が多折の曲折状の止滑握持部とされたことを特徴とする、握持が容易なスケートボードの本体装置。
【請求項５】
請求項１記載の握持が容易なスケートボードの本体装置において、主体層の止滑握持部の分布が、第１止滑握持区、第４止滑握持区、第５止滑握持区、第６止滑握持区を形成し、該第１止滑握持区は主体層の中央部分に位置して複数組の長條状の止滑握持部を具え、第１止滑握持区の両側に第４止滑握持区が形成され、第４止滑握持区内に多角形の止滑握持部が形成され、主体層の反り上がった両端に第５止滑握持区が形成され、該第５止滑握持区内に複数組の凹んだ階層孔状の止滑握持部が形成され、主体層の辺縁に第６止滑握持区が形成され、第６止滑握持区内の止滑握持部は階層状に曲折する変化構造形態とされたことを特徴とする、握持が容易なスケートボードの本体装置。
【請求項６】
握持が容易なスケートボードの本体装置において、該本体装置は複数の主体層を具え、二つの主体層の間に強化層が設けられ、該主体層に止滑握持部が設けられ、全体として握持に便利で組合せ後の強度が高められ、高強度の構造形態を形成することを特徴とする、握持が容易なスケートボードの本体装置。
【請求項７】
請求項６記載の握持が容易なスケートボードの本体装置において、強化層は波板形状とされたことを特徴とする、握持が容易なスケートボードの本体装置。
【請求項８】
請求項６記載の握持が容易なスケートボードの本体装置において、各層が結合手段で結合されて一体とされたことを特徴とする、握持が容易なスケートボードの本体装置。
【請求項９】
握持が容易なスケートボードの本体装置において、本体装置が少なくとも一層の主体層を具え、該主体層の周縁近くに凹凸変化形態の複数の止滑握持部が設けられ、該止滑握持部の表面に別に対称な凹凸変化を有する止滑部が形成され、全体の止滑性と構造が強化されたことを特徴とする、握持が容易なスケートボードの本体装置。
【発明の詳細な説明】
【技術分野】
【０００１】
本発明は握持が容易なスケートボードの本体装置に係り、特に、スケートボード本体の周縁近くの各層に凹凸が対応する止滑握持部が設けられ、握持部の上部と底部に必要に応じて凹凸が組み合わされた止滑部設計が設けられ、全体として手部でスケートボードの辺縁を握持するのに便利で且つ止滑し、握持が容易で安全に使用できるスケートボードの本体装置に関する。
【背景技術】
【０００２】
現在スケートボードの本体装置は、いずれも木材を多層複合成形するか、多層の異なる材質或いは溝を有する材料を複合成形してなり、各層を接合する時は、平板式接合形態とされる。現在、木材のスケートボード本体構造は表面の変化が有限であり、溝による止滑は要求に応じて異なる変化を形成できず、また構造上も握持に不便であり、挟持に便利な構造は設けられていない。
【０００３】
特許文献１には図１１、１２に示されるスケートボード本体装置が記載されている。その本体装置（９０）の構造は表面に複数の凸條（９１）が設けられ、凸條（９１）の上面は平滑な状態に保持され、この構造上、止滑と強化の効果は有限である。また、特許文献２には図１３に示される構造が示され、その本体（９０）は上層板体（９３）と下層板体（９４）が組み合わされてなり、そのうち、下層板体（９４０）の底部に凹形の凹溝（９４０）が形成され、それが補強の構造形態を形成しているが、ただしその凹溝（９４０）は補強の機能しか具備せずその他の機能を具備していない。また図１４に示される周知の技術も、その本体装置（９０）が上層板体（９５）と下層板体（９６）からなるが、この上層板体（９５）の表面に局部突出する凸條（９５０）形態が設けられ、それは止滑機能を具えているが強化の機能を具備せず、構造上不足のところがある。以上の各周知の技術は靴底に対する止滑或いは局部強度の強化設計である。
【０００４】
以上の構造は、その多くが本体装置の単一表面に止滑或いは強化の構造を有しているにすぎず、構造が使用者による本体装置辺縁の握持に便利な構造を具えず、並びに直接の力点がなく、このため使用者が地面から飛び跳ねて手で板体をつかむ時、手部の保持の安定度が高くなく、スケートボードを落とす恐れがあり危険である。手でスケートボードを保持する必要がある時、その動作の多くは難度が高く、危険性が高く、ゆえに手でスケートボードを保持する安定度が高くなければ安全上の要求を達成することは難しくなり、ゆえに改良の必要がある。
【０００５】
【特許文献１】米国特許第４２３４２０４号明細書
【特許文献２】米国特許第５９２４７１８号明細書
【発明の開示】
【発明が解決しようとする課題】
【０００６】
本発明は上記従来の技術の欠点と問題を鑑み、スケートボードの本体装置の構造を手で握持する動作の要求に符合するものとなし、並びに全体の本体構造を強化する機能を達成した、一種の握持が容易なスケートボードの本体装置を提供するものである。
【０００７】
即ち、本発明の主要な目的は、一種の握持が容易なスケートボードの本体装置を提供することにあり、該スケートボードの本体装置は、一層以上の主体層を具え、その周縁近くに複数の止滑握持部が設けられて使用者による直接の握持に便利とされ、手指を該止滑握持部に位置決めでき、並びに止滑握持部の表面に別に止滑部が設けられ、握持者に対する止滑性が良好とされ、且つ全体構造が強化効果を具え、また、多層形態の主体層に強化層が組み合わされた形態ともされ得て、これにより全体の強度が高められ、使用者が確実な止滑を形成でき、握持に便利で有効な力点を有し、全体構造の強度が高められたものとされる。
【課題を解決するための手段】
【０００８】
請求項１の発明は、握持が容易なスケートボードの本体装置において、該本体装置は少なくとも一層の主体層を具え、該主体層の周縁近くに凹凸形態変化を有する複数の止滑握持部が設けられ、全体の止滑及び構造強化を達成したことを特徴とする、握持が容易なスケートボードの本体装置としている。
請求項２の発明は、請求項１記載の握持が容易なスケートボードの本体装置において、主体層に設置された止滑握持部が複数の区域に分布し、そのうち、中央部分の第１止滑握持区が複数組の長條状の止滑握持部を具え、スケートボードの四隅部分に別に第２止滑握持区が設けられ、該第２止滑握持区は屈折状に凹んだ止滑握持部を具え、主体層の前端の円形尖端部設計及び後部の流線形の隆起の形態が組み合わされて、全体として特殊な視覚効果を形成すると共に止滑機能と強度が高められたことを特徴とする、握持が容易なスケートボードの本体装置としている。
請求項３の発明は、請求項１記載の握持が容易なスケートボードの本体装置において、主体層の周縁近くの止滑握持部が條状の止滑握持部とされ、別に中央部に止滑強化部が設けられ、この止滑強化部の端部近くに別に二組の強化部が設けられたことを特徴とする、握持が容易なスケートボードの本体装置としている。
請求項４の発明は、請求項１記載の握持が容易なスケートボードの本体装置において、本体装置が長円板の構造形態とされ、中央部分に第１止滑握持区が設けられ、第１止滑握持区内の複数の止滑握持部が長條状とされ、主体層の両側に別に隆起する第３止滑握持区が形成され、該第３止滑握持区内の止滑握持部が多折の曲折状の止滑握持部とされたことを特徴とする、握持が容易なスケートボードの本体装置としている。
請求項５の発明は、請求項１記載の握持が容易なスケートボードの本体装置において、主体層の止滑握持部の分布が、第１止滑握持区、第４止滑握持区、第５止滑握持区、第６止滑握持区を形成し、該第１止滑握持区は主体層の中央部分に位置して複数組の長條状の止滑握持部を具え、第１止滑握持区の両側に第４止滑握持区が形成され、第４止滑握持区内に多角形の止滑握持部が形成され、主体層の反り上がった両端に第５止滑握持区が形成され、該第５止滑握持区内に複数組の凹んだ階層孔状の止滑握持部が形成され、主体層の辺縁に第６止滑握持区が形成され、第６止滑握持区内の止滑握持部は階層状に曲折する変化構造形態とされたことを特徴とする、握持が容易なスケートボードの本体装置としている。
請求項６の発明は、握持が容易なスケートボードの本体装置において、該本体装置は複数の主体層を具え、二つの主体層の間に強化層が設けられ、該主体層に止滑握持部が設けられ、全体として握持に便利で組合せ後の強度が高められ、高強度の構造形態を形成することを特徴とする、握持が容易なスケートボードの本体装置としている。
請求項７の発明は、請求項６記載の握持が容易なスケートボードの本体装置において、強化層は波板形状とされたことを特徴とする、握持が容易なスケートボードの本体装置としている。
請求項８の発明は、請求項６記載の握持が容易なスケートボードの本体装置において、各層が結合手段で結合されて一体とされたことを特徴とする、握持が容易なスケートボードの本体装置としている。
請求項９の発明は、握持が容易なスケートボードの本体装置において、本体装置が少なくとも一層の主体層を具え、該主体層の周縁近くに凹凸変化形態の複数の止滑握持部が設けられ、該止滑握持部の表面に別に対称な凹凸変化を有する止滑部が形成され、全体の止滑性と構造が強化されたことを特徴とする、握持が容易なスケートボードの本体装置としている。
【発明の効果】
【０００９】
本発明は以下の作用効果を達成する。
１．止滑性と握持性が高い。
止滑握持部と止滑部により手部で直接凹凸変化部分を挟持して強力な力点を形成でき、並びに摩擦止滑の性能が高く、高い握持性を達成しているほか、踏む時の高い止滑性を達成し、使用における高い安全性を有している。
２．高強度を有する。
全体の各層にそれぞれ異なる止滑握持区が設置され、各区内に止滑握持部と止滑部が設置されたことにより、各層の強度が高められ、更に各層が有効に一体に結合され、高強度の構造形態を形成している。
【００１０】
総合すると、本発明は上述の諸機能を達成し、ゆえに本発明は新規性、進歩性及び産業上の利用価値を有する発明であるといえる。
【発明を実施するための最良の形態】
【００１１】
図１、２、３に示されるように、本発明のスケートボードの本体装置（Ａ）は、少なくとも一層以上の主体層（１０）を具え、該主体層（１０）はその各層の表面の溝がどのようであっても、その構造上、主体層（１０）の周縁近い部分の手指が到達する位置部分に凹凸対称変化の複数の止滑握持部（１１）が設けられ、止滑握持部（１１）は三組の長さが不一致の形態とされ、両側の止滑握持部（１１）は止滑握持部（１１）の両側部分に設けられ、図３、４に示されるように、使用者の手指を主体層（１０）の辺縁より該止滑握持部（１１）に伸ばすことができ、使用者が本体装置（Ａ）を簡単に手で握持でき、その掌（８０）が直接スケートボードの本体装置（Ａ）の主体層（１０）の辺縁に当接し、親指（８１）と手指（８２）がそれぞれ止滑握持部（１１）の突起部及び凹部部分を握持し、上下よりそれぞれ止滑握持部（１１）を挟持して有効な力点を形成でき、握持、挟持の安定性が高い。跳躍時に、或いは単純にスケートボードを保持する場合のいずれでも、その安定度が極めて高く、全体の本体装置（Ａ）が確実に手部と結合可能で、不当な脱落の状況を発生せず、使用上の安全性を高めてスケートボードの動作の連続性を確保できる。また、全体の複数條の止滑握持部（１１）の設計により、スケートボードの本体装置（Ａ）の主体層（１０）全体が長軸方向の高い抵抗力と高い弾性の要求に符合し、且つその各層の主体層（１０）が相互に接合される時、その接合の構造は止滑握持部（１１）の設計により接合面積が増されて安定度が高められ、その凸凹形態の止滑握持部（１１）により各主体層（１０）が上下層を分離させるせん断力が発生する時、確実な安定性を有して全体の構造強度が高められている。
【００１２】
また、図５に示される実施例では、その主体層（１０）の止滑握持部（１１）が複数のエリアに分布し、中央部分の第１止滑握持区（Ｂ）は三組の中央が長く両側が短い止滑握持部（１１１）を具え、スケートボードの本体装置（Ａ）の四隅に別に第２止滑握持区（Ｃ）が設けられ、それは屈折状に凹む止滑握持部（１１２）を具え、主体層（１０）の前端の円形尖端部設計及び後部の流線形の隆起の形態が組み合わされて、全体として特殊な視覚効果を形成すると共に止滑機能を具えて握持に便利で高強度のスケートボードの本体装置（Ａ）の主体層（１０）の構造形態が形成されている。
【００１３】
また、図６に示される実施例では、その各層の主体層（１０）の両側に凹凸が対称に組み合わされた止滑握持部（１１）が設けられ、全体の構造を強化するため、別に中央部分に長方形の止滑強化部（１２）が設けられ、この長方形の止滑強化部（１２）の端部近くに別に二組の円形凹強化部（１３）が設けられ、前述の止滑握持部（１１）及び止滑強化部（１２）及び円形凹強化部（１３）の設置により、全体の止滑性と強度が高められた構造形態とされ、且つ円形凹強化部（１３）の中央に別に穿孔が設けられてその他の構造が収容され、その止滑握持部（１１）の突出する或いは凹んだ表面に別に連続して突出する或いは凹む止滑部（１１０）が設けられ、図７に示されるように、凹凸が対称設置された止滑握持部（１１）の表面に別に前述の止滑部（１１０）が設けられ、これにより親指（８１）と手指（８２）の指の腹との摩擦力が大きくなり、握持の状態が更に安定し、且つ前述の各構造設計により、視覚上の差異を発生し、差異と他のスケートボード製品との識別性を有する美観を呈する。
【００１４】
図８に示される構造によると、スケートボードの本体装置（Ａ）の構造は長円板の構造形態とされ、中央部分に第１止滑握持区（Ｂ）が設けられ、この区内の両側の止滑握持部（１１１）の上面と底面に止滑部（１１０）の設計が設けられ、止滑部（１１０）の構造は顆粒状とされて密集分布する構造形態とされ、視覚上の異なった変化を形成し、スケートボードの本体装置（Ａ）の主体層（１０）の両側に別に隆起し並びに前後端に向けて延伸された構造が形成され、それは第３止滑握持区（Ｄ）とされ、この区内の止滑握持部（１１）の設計は多折の曲折止滑握持部（１１３）とされ、握持に便利で、長い本体装置（Ａ）の強度を高める要求に符合する。
【００１５】
また、図９、１０に示される実施例では、主体層（１０）の止滑握持部（１１）が更に多くの区域に分布し、そのうち、中央部分は第１止滑握持区（Ｂ）とされ、この区は三組の長條状の止滑握持部（１１）を具え、第１止滑握持区（Ｂ）の両側に別に第４止滑握持区（Ｅ）が形成され、並びにこの区内に長條多角形の止滑握持部（１１）が形成され、並びにそれに複数の長條状の止滑部（１１０）が形成され、該主体層（１０）の反り上がった両端に第５止滑握持区（Ｆ）が設けられ、この区内に複数組の凹んだ階層孔状の止滑握持部（１１５）が設けられ、主体層（１０）の辺縁に別に第６止滑握持区（Ｇ）が設けられ、この区内の止滑握持部（１１６）は階層状に曲折する変化構造形態とされ、各握持部内に必要に応じて止滑部（１１０）が設置され、全体として多様な変化の構造形態を形成できる。
【００１６】
図９、１０に示される構造形態は、金属材質の板体を異なる或いは対応する形態に成形して更に結合して一体とした構造とされうる。その構造は、結合手段（２０）で主体層（１０）の周縁の止滑握持部（１１６）と一体に結合されるもう一つの主体層（１０）を具え、二つの主体層（１０）を具えた構造形態とされ、二つの主体層（１０）の間に強化層（３０）が設けられ、該強化層（３０）は波板形態とされ、各層の強化を達成して各層組合せ後に高強度の構造形態を形成する。
【００１７】
そのうち、主体層（１０）の構造は板体構造とされ、その構造は複数の止滑握持区を具え、並びに各区内に異なる止滑握持部が形成され、高強度の構造とされ、且つ第１止滑握持区（Ｂ）の両端部に二つの貫通孔形態の強化部（１３）が設けられてその他の物品が結合される。前述の各層を結合させる結合手段（２０）はリベット構造或いはネジ釘構造とされるか、或いは半田とされる。
【図面の簡単な説明】
【００１８】
【図１】本発明の立体外観部分断面図である。
【図２】本発明の立体多層分解図である。
【図３】本発明の立体外観実施例表示図である。
【図４】本発明の端面断面動作表示図である。
【図５】本発明の第２実施例の立体外観表示図である。
【図６】本発明の第３実施例の立体外観表示図である。
【図７】本発明の図６の実施例の端面断面動作表示図である。
【図８】本発明の第４実施例の立体外観表示図である。
【図９】本発明の第５実施例の立体外観表示図である。
【図１０】本発明の第５実施例の半断面表示図である。
【図１１】周知の第１実施例の構造表示図である。
【図１２】図１０の構造断面表示図である。
【図１３】周知の第２実施例の構造表示図である。
【図１４】周知の第３実施例の構造表示図である。
【符号の説明】
【００１９】
Ａ  本体装置                    Ｂ  第１止滑握持区
Ｃ  第２止滑握持区              Ｄ  第３止滑握持区
Ｅ  第４止滑握持区              Ｆ  第５止滑握持区
Ｇ  第６止滑握持区
１０  主体層                    １１  止滑握持部
１１１、１１２、１１３、１１４、１１５、１１６  止滑握持部
１１０  止滑部
１２  止滑強化部                １３  円形凹強化部
２０  結合手段
３０  強化層
８０  掌                        ８１  親指
８２  手指
９０  本体装置
９１  凸條                      ９３  上層板体
９４  下層板体                  ９４０  凹溝
９５  上層板体                  ９６  下層板体
９５０  凸條
【図１】
2006015038.tif 000003
【図２】
2006015038.tif 000004
【図３】
2006015038.tif 000005
【図４】
2006015038.tif 000006
【図５】
2006015038.tif 000007
【図６】
2006015038.tif 000008
【図７】
2006015038.tif 000009
【図８】
2006015038.tif 000010
【図９】
2006015038.tif 000011
【図１０】
2006015038.tif 000012
【図１１】
2006015038.tif 000013
【図１２】
2006015038.tif 000014
【図１３】
2006015038.tif 000015
【図１４】
2006015038.tif 000016